(57)【要約】【課題】高信頼性の電子機器を提供する。【解決手段】実施形態の電子機器は、表示パネルと、平板部を有するとともに、前記表示パネルの後方を覆うバックカバーと、前記バックカバーと一体に設けられ前記表示パネルから遠ざかる方向に延びた一対の第１壁部と、前記一対の第１壁部同士の間に亘った第２壁部と、を有するとともに、前記平板部で前記バックカバーの長手方向と交差する方向に延びた第１突出部と、前記第１突出部と隣接して前記バックカバーと一体に設けられ前記表示パネルに近づく方向に延びた一対の第３壁部と、前記一対の第３壁部同士の間に亘った第４壁部と、を有するとともに、前記平板部で前記バックカバーの長手方向と交差する方向に延びた第２突出部と、を備える。【選択図】図８
2014153672.tif 000002
【特許請求の範囲】
【請求項１】
表示パネルと、
平板部を有するとともに、前記表示パネルの後方を覆うバックカバーと、
前記バックカバーと一体に設けられ前記表示パネルから遠ざかる方向に延びた一対の第１壁部と、前記一対の第１壁部同士の間に亘った第２壁部と、を有するとともに、前記平板部で前記バックカバーの長手方向と交差する方向に延びた第１突出部と、
前記第１突出部と隣接して前記バックカバーと一体に設けられ前記表示パネルに近づく方向に延びた一対の第３壁部と、前記一対の第３壁部同士の間に亘った第４壁部と、を有するとともに、前記平板部で前記バックカバーの長手方向と交差する方向に延びた第２突出部と、
を備える電子機器。
【請求項２】
前記第１壁部は、前記第３壁部と連続的に設けられた請求項１に記載の電子機器。
【請求項３】
前記第１壁部は、前記第３壁部と略同一直線上に設けられた請求項２に記載の電子機器。
【請求項４】
壁掛け時に固定部材が通される第１金具を備え、
前記第１突出部は、前記第１金具が固定される固定部を有した請求項３に記載の電子機器。
【請求項５】
前記第１突出部の一方の端部に重なった重複部を有し、当該重複部で前記第１突出部に固定された第２金具と、
前記第２金具に固定されて前記第２金具を支持した脚部と、
を備える請求項４に記載の電子機器。
【請求項６】
前記第２金具は、挿入部を有し、当該挿入部は、前記第２突出部の裏側に設けられた窪み部内に挿入された請求項５に記載の電子機器。
【請求項７】
前記第１突出部および前記第２突出部を外れた位置で前記バックカバーに固定されるとともに、前記第１突出部の高さの範囲内に設けられたプリント回路板を備える請求項６に記載の電子機器。
【請求項８】
前記平板部の周囲で前記バックカバーに設けられた曲げ部を備え、
前記第１突出部および前記第２突出部は、前記バックカバーの長手方向における略中央部に設けられた請求項７に記載の電子機器。
【請求項９】
前記バックカバーは、樹脂材料で形成される請求項８に記載の電子機器。
【請求項１０】
表示パネルと、
平板部を有するとともに、前記表示パネルの後方を覆うバックカバーと、
前記平板部で前記バックカバーの長手方向と交差する方向に延びるように設けられ、前記表示パネルから遠ざかる方向に突出した第１突出部と、
前記第１突出部と隣接して設けられ、前記平板部で前記バックカバーの長手方向と交差する方向に延びるとともに、前記表示パネルに近づく方向に突出した第２突出部と、
を備える電子機器。
【発明の詳細な説明】
【技術分野】
【０００１】
本発明の実施形態は、表示画面を有する電子機器に関する。
【背景技術】
【０００２】
電子機器の市場においては、衝撃に強く信頼性が高いモデルが好まれる傾向がある。一方、製品の価格が市場競争力を左右する重要な要素となってきており、製造コストと品質のバランスが重要になってきている。
【先行技術文献】
【特許文献】
【０００３】
【特許文献１】特開２０１１−８５９０３号公報
【発明の概要】
【発明が解決しようとする課題】
【０００４】
本発明が解決しようとする課題は、高信頼性の電子機器を提供することである。
【課題を解決するための手段】
【０００５】
実施形態の電子機器は、表示パネルと、平板部を有するとともに、前記表示パネルの後方を覆うバックカバーと、前記バックカバーと一体に設けられ前記表示パネルから遠ざかる方向に延びた一対の第１壁部と、前記一対の第１壁部同士の間に亘った第２壁部と、を有するとともに、前記平板部で前記バックカバーの長手方向と交差する方向に延びた第１突出部と、前記第１突出部と隣接して前記バックカバーと一体に設けられ前記表示パネルに近づく方向に延びた一対の第３壁部と、前記一対の第３壁部同士の間に亘った第４壁部と、を有するとともに、前記平板部で前記バックカバーの長手方向と交差する方向に延びた第２突出部と、を備える。
【図面の簡単な説明】
【０００６】
【図１】第１実施形態の電子機器の一例である映像表示装置を前方向から示した正面図。
【図２】図１に示す映像表示装置のＦ１−Ｆ１線に沿った断面図。
【図３】図１に示す映像表示装置のバックカバーからユニットカバーを取り外した状態を示した分解斜視図。
【図４】図１に示す映像表示装置のユニットカバーを取り外した状態で示した背面図。
【図５】図４に示す映像表示装置の本体部分を分解して示した分解斜視図。
【図６】図４に示す映像表示装置のバックカバーを拡大して示した背面図。
【図７】図４に示す映像表示装置の第１金具および第２金具を拡大して示した斜視図。
【図８】図６に示す映像表示装置のバックカバーのＦ８−Ｆ８線に沿った断面図。
【図９】第２実施形態の電子機器の一例である映像表示装置のバックカバーを後方向から示した背面図。
【図１０】第３実施形態の電子機器の一例である映像表示装置のバックカバーを後方向から示した斜視図。
【図１１】第４実施形態の電子機器の一例である映像表示装置のバックカバーを後方向から示した背面図。
【図１２】第５実施形態の電子機器の一例である映像表示装置のバックカバーの一部の左右方向（長手方向）に沿った断面図。
【発明を実施するための形態】
【０００７】
以下、図１から図８を参照して、映像表示装置の第１実施形態について説明する。図１に示すように、実施形態の映像表示装置（テレビジョン）は、電子機器の一例であり、略長方形の外観を有している。以下の実施形態では、手前側（即ちユーザ側）を前方向Ｆ、ユーザから見て奥側を後方向Ｂ、ユーザから見て左側を左方向Ｌ、ユーザから見て右側を右方向Ｒ、ユーザから見て上方を上方向Ｕ、ユーザから見て下方を下方向Ｄと定義する。
【０００８】
図１、図２に示すように、映像表示装置１１は、本体部分１２と、本体部分１２を支持する脚部１３（支持部、スタンド）と、を有している。脚部１３は、後述する第２金具２９を介して後述するバックカバー１６に取付けられており、第２金具２９および本体部分１２を支持することができる。
【０００９】
図１、図２、図５に示すように、本体部分１２は、表示画面をなしている平板状の表示パネル１４と、表示パネル１４の前方に設けられてその前方を覆ったフロントカバー１５（フロントベゼル、マスク）と、表示パネル１４の後方に設けられて表示パネル１４の後方を覆ったバックカバー１６と、バックカバー１６の前面に取付けられた反射板１７と、バックカバー１６の前面で反射板１７よりも前側に取付けられた光源１８と、反射板１７の前面に固定され種々の光学作用を発揮できる複数の光学シート２１と、光学シート２１よりも前側に設けられて、バックカバー１６との間に反射板１７および光学シート２１を挟み込む中間部材２２（ミドルフレーム）と、を備えている。
【００１０】
図３、図４に示すように、映像表示装置１１は、さらに、バックカバー１６の後面に固定されたシステム基板２３、電源回路基板２４および液晶駆動基板２５と、バックカバー１６の下側に一対に設けられたスピーカ２６と、バックカバー１６に取付けられてこれらを覆うユニットカバー２７（第２バックカバー）と、バックカバー１６の後述する第１突出部３１にそれぞれ固定される第１金具２８と、バックカバー１６の２つの第１突出部３１にまたがるようにバックカバー１６に固定される第２金具２９と、を備えている。
【００１１】
図３に示すように、後述する右側（前方向から見て左側）の第１突出部３１および第２突出部３２よりも右側（前方向から見て左側）の位置に、システム基板２３が固定される。同様に後述する左側（前方向から見て右側）の第１突出部３１および第２突出部３２よりも左側（前方向から見て右側）の位置に、電源回路基板２４が固定される。２個の第１突出部３１（第２突出部３２）の間の位置に、液晶駆動基板２５が固定される。
【００１２】
表示パネル１４は、２枚のガラス基板を張り合わせて形成した液晶セルで構成されている。なお、表示パネル１４は、液晶パネルに限定されるものではなく、例えばプラズマディスプレイパネル、有機ＥＬ、プラスチックディスプレイパネル、シートディスプレイパネル等、他の種類のディスプレイパネルであってもよい。表示パネル１４は、中間部材２２に対して固定されている。
【００１３】
図１に示すように、フロントカバー１５は、例えば合成樹脂材料によって、枠状（額縁状）に設けられており、中央部に設けられた開口によって表示パネル１４を外部に露出させている。フロントカバー１５、バックカバー１６、およびユニットカバー２７によって、映像表示装置１１の筐体３３が構成されている。
【００１４】
光源１８は、複数のＬＥＤを並べて実装した細長い基板３４（ＬＥＤ基板）で構成されている。図１に示すように、本実施形態では、光源１８は、５個の基板３４で構成されており、表示パネル１４を後方から直接的に照らすことができる。このため、光源１８は、いわゆるダイレクト方式のバックライトを構成する。
【００１５】
反射板１７は、バックカバー１６の内面に沿った皿型の形状をなしている（図５参照）。
【００１６】
図５、図６等に示すように、バックカバー１６は、合成樹脂材料によって、全体として方形の皿型に成形されている。バックカバー１６は、平板状をなした平板部３５と、平板部３５の周囲（上側、右側、左側）に設けられ平板部３５の周縁から斜めに立ち上がるように設けられた曲げ部３６と、を有している。曲げ部３６は、バックカバー１６の外周部の近傍に設けられるとも言い換えることができる。
【００１７】
バックカバー１６は、表示パネル１４から遠ざかる方向に向けて平板部３５から突出した第１突出部３１と、表示パネル１４に近づく方向に向けて平板部３５から突出した第２突出部３２と、を有している。第１突出部３１および第２突出部３２は、バックカバー１６の長手方向Ｄ１における略中央部に設けられている。
【００１８】
第１突出部３１および第２突出部３２は、平板部３５と一体的に成形されている。第１突出部３１および第２突出部３２は、バックカバー１６の長手方向Ｄ１と交差する方向Ｄ２（すなわち、縦方向）に延びており、例えば、当該方向Ｄ２におけるバックカバー１６の実質的な全幅に亘っている。なお、本実施形態において、バックカバー１６の実質的な全幅とは、バックカバー１６の平板部３５の全幅に対応している。このため、本実施形態では、第１突出部３１および第２突出部３２は、平板部３５にだけ設けられており、曲げ部３６には設けられない。しかしながら、後述する実施形態のように、第１突出部３１および第２突出部３２を曲げ部３６にまで至るように連続して設けても良い。
【００１９】
本実施形態では、第１突出部３１は、２個設けられている。図８に示すように、第１突出部３１は、断面略「Ｕ」字形に形成されており、バックカバー１６と一体に設けられている。第１突出部３１は、表示パネル１４から遠ざかる方向に延びた一対の第１壁部４１と、一対の第１壁部４１同士の間に亘った平板状の第２壁部４２と、を有している。第１突出部３１は、平板部３５から数ｍｍから数１０ｍｍ突出している。
【００２０】
図６、図７に示すように、第１突出部３１の中央部付近には、第１金具２８を固定するためのボス部４３および一対の凹部４４が設けられている。ボス部４３および一対の凹部４４は、第１金具２８が固定される固定部の一例である。第１突出部３１は、第２突出部３２よりも幅広に設けられている。
【００２１】
図３に示すように、システム基板２３、電源回路基板２４および液晶駆動基板２５は、第１突出部３１および第２突出部３２を外れた位置でバックカバー１６に固定されている。図８において、第１突出部３１の高さＨの範囲内に、システム基板２３、電源回路基板２４および液晶駆動基板２５が設けられている。言い換えると、システム基板２３、電源回路基板２４および液晶駆動基板２５は、平板部３５の表示パネル１４と対向する面とは反対側（後面）で、第１突出部３１の頂面（第２壁部４２）よりも表示パネル１４に近い位置に設けられている。システム基板２３、電源回路基板２４および液晶駆動基板２５は、第１突出部３１の高さの範囲内に設けられたプリント回路板の一例である。
【００２２】
第２突出部３２は、本実施形態では、４個設けられている（図３参照）。図８に示すように、第２突出部３２は、第１突出部３１と隣接しており、第１突出部３１と連続的に設けられている。第２突出部３２は、第１突出部３１と同様に、断面略「Ｕ」字形に設けられており、バックカバー１６と一体に設けられている。第２突出部３２は、表示パネル１４に近づく方向に延びた一対の第３壁部４５と、一対の第３壁部４５同士の間に亘った第４壁部４６と、を有している。第３壁部４５は、第１突出部３１の第１壁部４１と連続的に設けられている。さらに具体的には、第３壁部４５は、第１壁部４１と略同一直線上に設けられている。
【００２３】
第２突出部３２は、平板部３５から数ｍｍから数１０ｍｍ突出している。第１突出部３１は、一対の第２突出部３２の間の位置に設けられている。第２突出部３２の裏面側には、窪み部４７が設けられている。
【００２４】
図４、図７に示すように、第１金具２８は、金属材料（炭素鋼、鉄）等を所定の形状に折り曲げて形成されている。第１金具２８は、凹部４４に嵌る左右一対の爪部５１と、ボス部４３（バックカバー１６）に対してねじ等の固定具５２で固定される取付部５３と、壁掛け時にピン等の固定部材５５（図２参照）が通される板状部５４と、を有している。なお、図７では、右側の第１金具２８（前方向から見て左側）だけが示されているが、左側の凹部４４およびボス部４３に対しても同じ形状の第１金具２８が取り付けられる。
【００２５】
取付部５３および板状部５４には、それぞれ円形の開口部が設けられており、当該開口部に。固定部材５５或いは固定具５２が通されている。
【００２６】
第２金具２９は、金属材料（炭素鋼、鉄）等を断面略「Ｌ」字形に折り曲げて形成されている。第２金具２９は、補強用の絞り加工部５６が複数個所に設けられた本体部６１と、本体部６１の一方の端部から表示パネル１４に近づく方向に折り曲げられた第１折り曲げ部６２と、本体部６１の他方の端部から表示パネル１４から遠ざかる方向に折り曲げられた第２折り曲げ部６３と、本体部６１と連続的に設けられ第１突出部３１の一方の端部に重なる重複部６４と、本体部６１から突出するとともに脚部１３を保持した一対の凸部６５（凸片）と、重複部６４から突出するとともに第２突出部３２の裏面側の窪み部に挿入される挿入部６６と、を有している。
【００２７】
第１折り曲げ部６２および第２折り曲げ部６３は、主として第２金具２９の強度を向上する目的で設けられている。また、脚部１３は、その先端部を第２折り曲げ部６３に突き当てた状態で第２金具２９に固定される（図２参照）。重複部６４は、第１突出部３１の一部（第１突出部３１の端部）に密着しており、当該位置で第１突出部３１を補強している。第２金具２９は、重複部６４にある開口を貫通するねじ等の固定手段６７によって、重複部６４の位置で第１突出部３１に固定されている。このため、第２金具２９は、バックカバー１６の第１突出部３１の一方の端部（下側の端部）に一体的に固定されている。
【００２８】
第１実施形態によれば、映像表示装置１１は、表示パネル１４と、平板部３５を有するとともに、表示パネル１４の後方を覆うバックカバー１６と、バックカバー１６と一体に設けられ表示パネル１４から遠ざかる方向に延びた一対の第１壁部４１と、一対の第１壁部４１同士の間に亘った第２壁部４２と、を有するとともに、平板部３５でバックカバー１６の長手方向Ｄ１と交差する方向Ｄ２に延びた第１突出部３１と、第１突出部３１と隣接してバックカバー１６と一体に設けられ表示パネル１４に近づく方向に延びた一対の第３壁部４５と、一対の第３壁部４５同士の間に亘った第４壁部４６と、を有するとともに、平板部３５でバックカバー１６の長手方向Ｄ１と交差する方向Ｄ２に延びた第２突出部３２と、を備える。
【００２９】
この構成によれば、平板部３５にバックカバー１６の長手方向Ｄ１と交差する方向Ｄ２に延びる第１突出部３１を設けることができる。これによって、前後方向への荷重に対して曲がりにくいバックカバー１６を有した映像表示装置１１を提供することができる。また、従来型の映像表示装置１１で必要となっていた、バックカバー１６の長手方向Ｄ１と交差する方向Ｄ２に延びる金属製の補強フレームを不要とすることができ、部品点数を削減して組立工数および製造コストを削減できる。また、映像表示装置１１の軽量化を図ることもできる。
【００３０】
また、第１壁部４１は、第３壁部４５と連続的に設けられる。この構成によれば、バックカバー１６の長手方向Ｄ１における一定区間において、第１突出部３１および第２突出部３２を密集的に設けることができる。これによって、前後方向への荷重に対してより一層曲がりにくいバックカバー１６を有した映像表示装置１１を提供できる。
【００３１】
第１壁部４１は、第３壁部４５と同一直線上に設けられている。この構成によれば、映像表示装置１１の厚み寸法の増加を防ぎつつ、バックカバー１６の断面係数をさらに効率的に向上させることができる。これによって、前後方向への荷重に対してさらに曲がりにくい映像表示装置１１を提供できる。
【００３２】
映像表示装置１１は、壁掛け時に固定部材５５が通される第１金具２８を備え、第１突出部３１は、第１金具２８が固定される固定部を有している。この構成によれば、表示パネル１４から遠ざかる方向に突出した第１突出部３１上に固定部を設けているため、第１金具２８の高さを小さく構成することができる。また、壁掛け使用時にバックカバー１６中で大きな荷重がかかる部分に、高い剛性を有した第１突出部を配置することができ、壁掛け使用時の安定性を向上できる。
【００３３】
映像表示装置１１は、第１突出部３１の一方の端部に重なった重複部６４を有し、当該重複部６４で第１突出部３１に固定された第２金具２９と、第２金具２９に固定されて第２金具２９を支持した脚部１３と、を備える。
【００３４】
この構成によれば、第１突出部３１と固定された第２金具２９によって、さらに第１突出部３１の一方の端部を補強できるため、前後方向への荷重に対してより強い映像表示装置１１を提供できる。
【００３５】
第２金具２９は、挿入部６６を有し、当該挿入部６６は、第２突出部３２の裏側に設けられた窪み部４７内に挿入されている。この構成によれば、第２金具２９の重複部６４と挿入部６６との間で、曲げ構造を構成できるとともに、窪み部４７を利用することで挿入部６６の長さを長く確保できる。このため、第２金具２９の剛性を向上（第２金具２９の断面係数を高く）することができ、映像表示装置１１全体としても前後方向における曲げ荷重に強くすることができる。
【００３６】
映像表示装置１１は、第１突出部３１および第２突出部３２を外れた位置でバックカバー１６に固定されるとともに、第１突出部３１の高さの範囲内に設けられたプリント回路板を備える。この構成によれば、映像表示装置１１の内部で、スペースの使用効率を向上することができ、それによって映像表示装置１１の薄型化を実現できる。
【００３７】
映像表示装置１１は、平板部３５の周囲でバックカバー１６に設けられた曲げ部３６を備え、第１突出部３１および第２突出部３２は、バックカバー１６の長手方向Ｄ１における略中央部に設けられている。この構成によれば、曲げ部３６によって剛性が高められた部分以外の部分（つまり、中央部）において、第１突出部３１および第２突出部３２によって剛性を向上できる。これによって、バックカバー１６全体において高剛性を効率的に実現することができる。
【００３８】
バックカバー１６は、樹脂材料で形成される。この構成によれば、映像表示装置１１の軽量化および低価格化を実現できる。
【００３９】
続いて、図９を参照して、電子機器の第２実施形態について説明する。第２実施形態の電子機器の一例である映像表示装置１１は、第１突出部３１の幅（バックカバー１６の長手方向Ｄ１における第１突出部３１の寸法）が第１実施形態の第１突出部３１に比して大きくなっている。
【００４０】
第２実施形態の映像表示装置１１は、この点で第１の実施形態のものと異なっているが、それ以外の部分は第１実施形態と共通している。このため、第１突出部３１の第１壁部４１の高さや、第２突出部３２の構造、大きさについては第１実施形態と同様である。
【００４１】
第２実施形態によれば、第１突出部３１の幅が大きくなった場合でも、前後方向への荷重に対して強いバックカバー１６を実現することができ、映像表示装置１１の信頼性を向上できる。なお、本実施形態では、第１突出部３１の第２壁部４２は、第１実施形態と同様に平板状に形成されているが、第２壁部４２を繰り返し連続する波型の断面（いわゆるサインカーブ状の断面）にすることもできる。これによって、第１突出部３１においてさらに断面係数を向上することができ、前後方向の荷重に対して曲がりにくいバックカバー１６およびそれを備えた映像表示装置１１を実現できる。
【００４２】
続いて、図１０を参照して、電子機器の第３実施形態について説明する。第３実施形態の電子機器の一例である映像表示装置１１は、第１実施形態とは異なり、第１突出部３１および第２突出部３２がバックカバー１６の平板部３５だけでなく、曲げ部３６にまで至っている。このため、本実施形態においても、第１突出部３１および第２突出部３２は、バックカバー１６の長手方向Ｄ１と交差する方向Ｄ２（すなわち、縦方向）に延びており、当該方向Ｄ２におけるバックカバー１６の実質的な全幅に亘っている。
【００４３】
第２実施形態の映像表示装置１１は、上記の点で第１の実施形態のものと異なっているが、それ以外の部分は第１実施形態と共通する。
【００４４】
第３実施形態によれば、バックカバー１６の長手方向Ｄ１と交差する方向Ｄ２におけるバックカバー１６の実質的な全幅において、第１突出部３１および第２突出部３２を設けることができる。これによって、さらに前後方向の荷重に対して曲がりにくいバックカバー１６およびそれを備えた映像表示装置１１を提供することができる。
【００４５】
続いて、図１１を参照して、電子機器の第４実施形態について説明する。第４実施形態の電子機器の一例である映像表示装置は、第１実施形態とは異なり、第１突出部３１が計４個設けられており、各第１突出部３１の両側に２個の第２突出部３２（つまり、合計８個の第２突出部３２）が設けられている。第１突出部３１は、例えば、いわゆる均等なピッチで配置されている。
【００４６】
第２実施形態の映像表示装置１１は、上記の点で第１の実施形態のものと異なっているが、それ以外の部分は第１実施形態と共通する。
【００４７】
第４実施形態によれば、第１実施形態に比して、第１突出部３１および第２突出部３２の数を多くすることができ、さらに前後方向の荷重に対して曲がりにくいバックカバー１６およびそれを備えた映像表示装置１１を提供することができる。すなわち、第１突出部３１および第２突出部３２の数は、第１実施形態の例に限定されるものではなく、第１実施形態の例よりも多くても当然によい。
【００４８】
続いて、図１２を参照して、電子機器の第５実施形態について説明する。第４実施形態の電子機器の一例である映像表示装置１１は、第１実施形態とは異なり、第１突出部３１の位置に第２突出部３２が配置され、第２突出部３２の位置に第１突出部３１が配置される。すなわち、第１突出部３１同士の間の位置に第２突出部３２が設けられている。第２実施形態の映像表示装置１１は、上記の点で第１の実施形態のものと異なっているが、それ以外の部分は第１実施形態と共通する。このため、以下は主として第１実施形態と異なる部分について説明し、共通する部分については図示或いは説明を省略する。
【００４９】
バックカバー１６は、表示パネル１４から遠ざかる方向に向けて平板部３５から突出した第１突出部３１と、表示パネル１４に近づく方向に向けて平板部３５から突出した第２突出部３２と、を有している。第１突出部３１および第２突出部３２は、第１実施形態の図６等と同様に、バックカバー１６の長手方向Ｄ１と交差する方向Ｄ２（すなわち、縦方向）に延びており、当該方向Ｄ２におけるバックカバー１６の実質的な全幅に亘っている。また、第１突出部３１および第２突出部３２は、平板部３５と一体的に成形されている。
【００５０】
本実施形態では、第１突出部３１は、４個設けられている。図１２に示すように、第１突出部３１は、断面略「Ｕ」字形に形成されており、バックカバー１６と一体に設けられている。第１突出部３１は、表示パネル１４から遠ざかる方向に延びた一対の第１壁部４１と、一対の第１壁部４１同士の間に亘った平板状の第２壁部４２と、を有している。第１突出部３１は、平板部３５から数ｍｍから数１０ｍｍ突出している。図１２において、第１突出部３１の高さＨの範囲内に、図３に示すようなシステム基板２３、電源回路基板２４および液晶駆動基板２５が設けられている。システム基板２３、電源回路基板２４および液晶駆動基板２５は、第１突出部３１の高さの範囲内に設けられたプリント回路板の一例である。
【００５１】
本実施形態では、第１突出部３１は、第２突出部３２よりも幅狭に設けられている。
【００５２】
第２突出部３２は、本実施形態では、２個設けられている。図１２に示すように、第２突出部３２は、第１突出部３１と隣接しており、第１突出部３１と連続的に設けられている。第２突出部３２は、第１突出部３１と同様に、断面略「Ｕ」字形に設けられており、バックカバー１６と一体に設けられている。第２突出部３２は、表示パネル１４に近づく方向に延びた一対の第３壁部４５と、一対の第３壁部４５同士の間に亘った第４壁部４６と、を有している。第３壁部４５は、第１突出部３１の第１壁部４１と連続的に設けられている。さらに具体的には、第３壁部４５は、第１壁部４１と略同一直線上に設けられている。
【００５３】
第２突出部３２は、平板部から数ｍｍから数１０ｍｍ突出している。第２突出部３２は、一対の第１突出部３１の間の位置に設けられている。
【００５４】
第５実施形態によれば、第１実施形態に対して、第１突出部３１および第２突出部３２の位置を入れ替えたとしても、前後方向の荷重に対して曲がりにくいバックカバー１６およびそれを備えた映像表示装置１１を提供することができる。
【００５５】
なお、映像表示装置１１（電子機器）は、上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００５６】
１１…映像表示装置、１３…脚部、１４…表示パネル、１６…バックカバー、２３…システム基板、２４…電源回路基板、２５…液晶駆動基板、２８…第１金具、２９…第２金具、３１…第１突出部、３２…第２突出部、４１…第１壁部、４２…第２壁部、４３…ボス部、４４…凹部、４５…第３壁部、４６…第４壁部、４７…窪み部、５１…爪部、５２…固定具、５３…取付部、５４…板状部、５５…固定部材、５６…絞り加工部、６１…本体部、６２…第１折り曲げ部、６３…第２折り曲げ部、６４…重複部、６５…凸部、６６…挿入部、６７…固定手段、Ｄ１…長手方向、Ｄ２…交差する方向
【図１】
2014153672.tif 000003
【図２】
2014153672.tif 000004
【図３】
2014153672.tif 000005
【図４】
2014153672.tif 000006
【図５】
2014153672.tif 000007
【図６】
2014153672.tif 000008
【図７】
2014153672.tif 000009
【図８】
2014153672.tif 000010
【図９】
2014153672.tif 000011
【図１０】
2014153672.tif 000012
【図１１】
2014153672.tif 000013
【図１２】
2014153672.tif 000014